(57)【特許請求の範囲】
【請求項１】
静置部に対して引き出し可能な物品の収納部と、引き手を備えた前板とからなり、前記引き手を引いたときに、前記前板が手前側に所定の角度まで可倒した後、前記前板と前記収納部が同時に引き出されるように形成された引き出し収納装置において、
前記所定の角度可倒した位置では前記前板は前記引き出し収納装置の静置部側に係合して前記収納部を引き出すことはできず、前記位置からさらに前記引き手を引くことで前記係合がはずれる係脱機構を設けており、
前記係脱機構は、係脱アームを有し、該係脱アームの基端部は、前記前板の裏面に取り付けられており、前記係脱アームの先端部は、前記収納部を案内するレールの溝内を摺動するように構成されていることを特徴とする引き出し収納装置。
【請求項２】
静置部に対して引き出し可能な物品の収納部と引き手を備えた前板とからなり、前記引き手を引いたときに、前記前板が手前側に所定の角度まで可倒した後、前記前板と前記収納部が同時に引き出されるように形成された引き出し収納装置において、
前記所定の角度可倒した位置では前記収納部をロックするロック機構を設けるとともに、前記ロックを解除するロック解除機構を備えており、
前記ロック機構およびロック解除機構は、ロック枠を有し、該ロック枠は引き出しの左右両側の引き出しフレームに固定されており、前記ロック枠内に指掛け杆とロック杆が設けられていることを特徴とする引き出し収納装置。
【請求項３】
前記前板の裏面に前記収納部とは別の収納部を備えていることを特徴とする請求項１又は２記載の引き出し収納装置。
【請求項４】
前記別の収納部に、回動自在の小物収納部を備えていることを特徴とする請求項３記載の引き出し収納装置。
【発明の詳細な説明】
【０００１】
【発明の属する技術分野】
本発明は、流し台や洗面台等の引き出し収納装置に関し、特に、手前に回転できる前板の裏面に収納用囲い棚を有するとともに引き出しを有するタイプの引き出し収納装置に関する。
【０００２】
【従来の技術】
図１（ａ）は、キッチンの流し台や洗面台等で使用されれている従来の引き出し収納装置４９を示す図である。このような従来の引き出し装置４９では、前方に引き出し５０をスライドして収納物を取り出す構造である。又、収納箱等において、引き出しの前板を所定の角度まで前方に可倒できる構成は、実開平５−４８７４３号公報、特開平１１−３３２６７１号公報等で知られている。
【０００３】
【発明が解決しようとする課題】
従来の引き出し装置では、引き出しの中にアプローチするためには必ず引き出しごと手前に引き出す必要があるから、頻繁に出し入れする収納物についても、一々引き出しを開けて出し入れする必要があり、使用者に煩わしさを与えていた。要するに、従来の引き出し装置は、収納物によって異なる出し入れの頻度を考慮しない構造であった。又、引き出しの前板を前方に所定の角度可倒できる構成の上記従来例は、引き出しの収納物を取り出しやすくする効果はあるが、必ず引き出しを前方に引き出して開かなくてはならないものであり、引き出しの奥側の収納物を取り出しにくいという問題があり、収納物によって異なる出し入れの頻度を考慮した構造ではない。
【０００４】
本発明は、従来の引き出しの上記煩わしさを解決することを目的としており、収納物によって出し入れする頻度が異なることを考慮し、頻繁に入れたり取り出したりする収納物については、一々引き出しを手前に引き出さなくても収納でき、それ程、出し入れする頻度の多くない収納物については、引き出しを開けて収納するような構成の引き出し収納装置を実現することである。このため、収納部を有する前板と引き出しを、前板を前方に所定の角度可倒でき、その後引き出しをさらに引き出せるような構成を実現することである。
【０００５】
【課題を解決するための手段】
本発明は上記課題を解決するために、静置部に対して引き出し可能な物品の収納部と、引き手を備えた前板とからなり、前記引き手を引いたときに、前記前板が手前側に所定の角度まで可倒した後、前記前板と前記収納部が同時に引き出されるように形成された引き出し収納装置において、前記所定の角度可倒した位置では前記前板は前記引き出し収納装置の静置部側に係合して前記収納部を引き出すことはできず、前記位置からさらに前記引き手を引くことで前記係合がはずれる係脱機構を設けており、前記係脱機構は、係脱アームを有し、該係脱アームの基端部は、前記前板の裏面に取り付けられており、前記係脱アームの先端部は、前記収納部を案内するレールの溝内を摺動するように構成されていることを特徴とする引き出し収納装置を提供する。
【０００７】
本発明は上記課題を解決するために、静置部に対して引き出し可能な物品の収納部と引き手を備えた前板とからなり、前記引き手を引いたときに、前記前板が手前側に所定の角度まで可倒した後、前記前板と前記収納部が同時に引き出されるように形成された引き出し収納装置において、前記所定の角度可倒した位置では前記収納部をロックするロック機構を設けるとともに、前記ロックを解除するロック解除機構を備えており、前記ロック機構およびロック解除機構は、ロック枠を有し、該ロック枠は引き出しの左右両側の引き出しフレームに固定されており、前記ロック枠内に指掛け杆とロック杆が設けられていることを特徴とする引き出し収納装置を提供する。
【０００８】
前記前板の裏面に前記収納部とは別の収納部を備えている構成としてもよい。
【０００９】
前記別の収納部に、回動自在の小物収納部を備えている構成としてもよい。
【００１０】
【発明の実施の形態】
本発明に係る引き出し収納装置の実施の形態を実施例に基づいて図面を参照して説明する。
【００１１】
（実施例１）
図１（ｂ）及び図２は、本発明に係る引き出し収納装置の実施例１を示す図であり、この実施例１は、本発明に係る引き出し収納装置をキッチンの流し台に適用した構成を示す。
【００１２】
本発明に係る流し台１の引き出し収納装置２の外観構成は、図１（ｂ）に示す通りである。図２（ａ）、（ｃ）、（ｅ）は、夫々引き出し収納装置２を閉じた状態から、一部開いた状態、全て引き出した状態の３つの状態を順次説明する図である。図２（ｂ）、（ｃ）、（ｆ）は、夫々引き出し収納装置２の上記３つの状態における係脱機構３の動作状態を示す図である。
【００１３】
この引き出し収納装置２は、引き出し収納部４（引き出し収納装置の静置部に対して引き出し可能な物品収納部）と前板収納部５（引き出し可能な物品収納部とは別の収納部）とから構成されている。引き出し収納部４は、天板６の下に形成されている。前板収納部５は、引き出し収納部４の前板７の裏面に設けられた収納用囲い棚８から構成されている。
【００１４】
引き出し収納部４は、レール９と、このレール９で案内されて前方に引き出すことのできる引き出し１０とから成る。レール９は、引き出し収納部４を形成する流し台１の左右側壁（引き出し収納装置の「静置部」に相当する。）の内面に、前後方向水平に延びるように取り付けられた溝付きのレールである。引き出し１０は、引き出し本体１１と、引き出し本体１１の前部において取り付けられた、前方に延びる左右一対のアーム杆１２とから成る。
【００１５】
引き出し本体１１の両側面には、レール９を転動するローラ１３が複数取り付けられている。これにより、引き出し１０は前方に引き出されるように構成されている。
【００１６】
図２に示されるように、引き出し１０の前板７は、左右一対のアーム杆１２に左右一対のリンク１４を介して回転可能に取り付けられている。リンク１４は取付部１５と回動片１６とから成り、取付部１５は前板７の裏面に固定されており、回動片１６はその先端がアーム杆１２に枢軸１７で枢着されている。
【００１７】
ところで、本発明に係る引き出し収納装置２の特徴は、引き出し１０の前方への移動を規制する係脱機構３を設けた点である。この係脱機構３は、コの字型の係脱アーム１８を有する。係脱アーム１８の基端部は、前板７の裏面に取り付けられており、係脱アーム１８の先端部１９は、レール９の溝内を摺動するように構成されている。この係脱アームは、ばねにより基端部を中心に時計針方向に弾力的に付勢されている、或いは係脱アーム自体を弾性を有する部材で形成する構成としている。
【００１８】
このような構成により、図２（ｃ）に示すように前板７は、使用者が前板７の引き手２０を持って前方に引くと、前板７は枢軸１７を中心に回転し所定の角度まで可倒して開くことができ、収納用囲い棚８に収納された収納物２１を矢印の方向に取り出すことができる。
【００１９】
しかしながら、図２（ｄ）に示すように、係脱アーム１８の先端部１９がレール９の溝の前端２２に係合し、引き出し１０はその前方への移動を規制されている状態にあるから、所定の角度においては、引き出し１０を前方に移動することはできない。要するに、前板７が所定の角度まで可倒して開いても、引き出し１０は、引き出されない。
【００２０】
そこで、所定の角度まで可倒した後に、使用者は引き手２０で引き出し１０を前方に強く引くと、図２（ｆ）に示すように、係脱アーム１８の先端部１９がレール９の溝の前端２２からの係合がはずれ、アーム杆１２の上面に当接する。引き出し１０の規制状態が解除される。これにより、図２（ｅ）に示すように、前板７を手前に引くと同時に引き出し１０を前方に移動して、前板７と引き出し１０を同時引き出し、引き出し１０内の収納物２３を矢印のように上方に取り出すことができる。
【００２１】
そして、収納物２３を取り出してから前板７を図３（ｆ）で示す矢印とは逆方向に回転して元に戻すと、アーム杆１２の上面に当接していた係脱アーム１８の先端部１９がレール９の溝の前端に再度係合する。さらに、前板７を回転して元に戻すと、前板７は閉じ、後方に前板７を押すことにより引き出し１０を流し台１の下方に戻すことができる。また、係脱アームの替わりにレール自体に係脱機構を設けて係脱レールとしてもよい。
【００２２】
（実施例２）
図３、４は本発明に係る引き出し収納装置の実施例２であり、この実施例２もキッチンの流し台に適用した実施例である。実施例２の流し台の引き出し収納装置２４の外観構成は、図３（ａ）に示す通りである。図３（ｂ）はロック機構の詳細を説明する図であり、図３（ｃ）、（ｄ）は引き出し収納装置２４を閉じた状態の全体構成及びロック機構を説明する図である。図４（ａ）は引き出し収納装置の前板を開いた状態であり、図４（ｂ）は引き出し収納装置の引き出しを開こうとしてロックを解除する時の状態であり、図４（ｃ）は引き出し収納装置２４の引き出しを引き出して開いた状態である。
【００２３】
実施例２の引き出し収納装置２４は、実施例１と同様に、引き出し収納部４と、前板７の裏面に収納用囲い棚８を有する前板収納部５とから構成されている。引き出し収納部４は、レール９とこのレール９上で案内されて前方に引き出すことのできる引き出し１０から成る。レール９は、引き出し収納部４を形成する流し台の左右側壁の内面に、前後方向水平に延びるように取り付けられた溝付きのレールである。
【００２４】
一方、引き出し１０は、引き出しフレーム２５を有し、引き出しフレーム２５の下部両側面には、レール９を転動するローラ１３が複数取り付けられている。これにより、引き出し１０はレール９上を走行し前方に引き出されるように構成されている。引き出しフレーム２５の前部の左右両側部に側板２６が設けられている。又、前板７の裏面の左右両側部には取付板２７が設けられている。
【００２５】
この引き出しフレーム２５の左右の側板２６と、前板７の左右の取付板２７との間に二つのリンク片２８が夫々の端部で回動可能に取り付けられている。このような構成により、使用者は前板７の引き手２０を持って前方に引くと、前板７はリンク片２８により、前方に回転して開くことができ（図４（ａ）参照。）、収納用囲い棚８に収納された収納物２１を取り出すことができる。
【００２６】
ところで、本発明に係る引き出し収納装置２４の特徴は、引き出し１０の前方への移動をロックするロック機構（ロック解除機構も含む。）を設けた点である。このロック機構２９は、図３（ｂ）にその詳細を示すように、左右の両側枠３０、底枠３１及び把持杆３２から成るロック枠３３を有し、このロック枠３３は、引き出し１０の左右両側の引き出しフレーム２５に固定されている。
【００２７】
ロック枠３３内に、左右の連結片３４で連結された指掛け杆３５とロック杆３６の夫々の端部が左右の両側枠３０の長孔３７、３８内に嵌合して上下動可能に設けられている。ロック杆３６と底枠３１の間には引っ張りコイルバネ３９が装着されており、ロック杆３６は常時、底枠３１の方向に付勢され、左右の係止具４０の垂直な係止面４１に係合し引き出し１０の前方への移動をロックする。
【００２８】
又、引っ張りコイルバネ３９に抗して指掛け杆３５を引き上げロック杆３６を係止面４１からはずせば、ロックが解除される。要するに、左右の連結片３４で連結された指掛け杆３５とロック杆３６は、ロック解除機構としても機能する。
【００２９】
左右の係止具４０は、垂直の係止面４１とその前方のテーパ状案内面４２とを有し、流し台の引き出し収納部４を形成する左右側壁の内面に、ビス４３で固定されている。
【００３０】
ロック機構２９は上記構成であるから、通常は、図３（ｃ）、（ｄ）〜４（ａ）に示すように、前板７が閉じている位置から所定の角度まで可倒して開いた位置までは、引き出し１０は、ロック杆３６の左右両端が係止具４０に係合してロックされており、引き出し１０を前方に引いても前方にスライドして引き出すことはできない。
【００３１】
しかしながら、図４（ｂ）に示すように、把持杆３２を把持して指掛け杆３５を上方に引くと（手の動作図を参照）、ロック杆３６が引っ張りコイルバネ３９に抗して上方に移動し、係止具４０からはずれる。この結果、引き出し１０のロックが解除されて、図４（ｃ）に示すように、引き出し１０を前方に引けば自由に前方に移動することができる。
【００３２】
これにより、引き出し１０内の収納物４４を上方に取り出すことができる。そして、前板７を回転して元に戻すと、前板７は閉じる。さらに、後方に前板７を押すことにより引き出し１０を流し台１の下方に戻すことができ、ロック杆３６が係止具４０の前面のテーパ状案内面上で案内されながら後方に移動し、テーパ状案内を過ぎると、引っ張りバネ３９で引っ張られ係止具の係止面４１と係合し、ロックされる。
【００３３】
（実施例３）
図５は本発明に係る引き出し収納装置の実施例３であり、図５（ａ）、（ｂ）は、夫々引き出し収納装置４５が閉じた状態、開いた状態を示し、図５（ｃ）は、要部の斜視図を示す。この実施例３の引き出し収納装置４５は、実施例２の引き出し収納装置２４とほぼ同じ構成であり、図中の各部の符号も同じである。
【００３４】
実施例３の引き出し収納装置４５は、前板収納部５に特徴がある。前板７の裏面に収納用囲い棚８を有する前板収納部５が設けられており、この収納用囲い棚８の一部に、枢軸４６で回転可能に支持された小物収納部４７が設けられている。この小物収納部４７は、重りを底部に設ける構造とすることにより、あるいはばねで付勢する構造とすることにより、常時、鉛直方向の姿勢を維持するような構成となっている。
【００３５】
この小物収納部４７は、収納用囲い棚８の一部に回転可能、かつ常時、鉛直方向の姿勢を維持するように支持されているから、例えば、飲み物や調味料等を蓋をすることなくコップや瓶４８に入れて小物収納部４７に収納しておいても、前板７を閉じたり開けたりする際に、飲み物や調味料等の中身がこぼれたりしないだけでなく、取り出しやすいという効果が生じる。
【００３６】
以上、本発明に係る引き出し収納装置の実施形態を実施例に基づいて説明したが、本発明は特にこのような実施例に限定されることなく、特許請求の範囲記載の技術的事項の範囲内でいろいろな実施例があることはいうまでもない。
【００３７】
【発明の効果】
本発明に係る引き出し収納装置は上記の通りの構成であるから、次のような効果が生じる。
【００３８】
収納物によって出し入れする頻度が異なることを考慮された収納構造であるから、頻繁に入れたり取り出したりする収納物については、前板を手前に開くことにより引き出しを開けることなく、出し入れすることができ、出し入れの頻度が多くない収納物については、引き出しに収納し、前板を手前に所定角度開いた後に、引き出しを開けてアプローチすればよいので、出し入れのために、必ず引き出しを開けるという煩わしさが解消できる。
【図面の簡単な説明】
【図１】図１（ａ）は従来の引き出し装置を示す図であり、図１（ｂ）は本発明に係る引き出し収納装置の実施例１を示す図であり、キッチンの流し台に適用した場合の引き出し収納装置の全体図である。
【図２】本発明に係る引き出し収納装置の実施例１を示し、図２（ａ）、（ｂ）は引き出し収納装置を閉じた状態であり、図２（ｃ）、（ｄ）は引き出し収納装置の前板を開いた状態であり、図２（ｅ）、（ｆ）は引き出し収納装置の引き出しを開いた状態である。
【図３】本発明に係る引き出し収納装置の実施例２を示し、キッチンの流し台に適用した実施例である。図３（ａ）は本発明に係る流し台の引き出し収納装置の外観図を示し、図３（ｂ）はロック機構を示し、図３（ｃ）、（ｄ）は引き出し収納装置を閉じた状態の全体構成及び要部を説明する図である。
【図４】図３同様に、本発明に係る引き出し収納装置の実施例２を示し、図４（ａ）は引き出し収納装置の前板を開いた状態であり、図４（ｂ）は引き出し収納装置の引き出しを開こうとしてロックを解除する時の状態であり、図４（ｃ）は引き出し収納装置の引き出しを開いた状態である。
【図５】図５は本発明に係る引き出し収納装置の実施例３であり、図５（ａ）、（ｂ）は、夫々引き出し収納装置２４が閉じた状態、開いた状態を示し、図５（ｃ）は、要部の斜視図を示す。
【符号の説明】
１    流し台
２、２４、４５    引き出し収納装置
３    係脱機構
４    引き出し収納部
５    前板収納部
７    前板
８    収納用囲い棚
９    レール
１０    引き出し
１１    引き出し本体
１２    左右一対のアーム杆
１３    ローラ
１４    リンク
１５    リンクの取付部
１６    リンクの回動片
１７    リンクの枢軸
１８    係脱アーム
１９    係脱アームの先端部
２０    引き手
２１、２３、４４  収納物
２２    レールの溝の前端
２５    引き出しフレーム
２６    引き出しの側板
２７    前板の取付板
２８    リンク片
２９    ロック機構
３０    左右の両側枠
３１    底枠
３２    把持杆
３３    ロック枠
３４    左右の連結片
３５    指掛け杆
３６    ロック杆
３７、３８    長孔
３９    引っ張りコイルバネ
４０    左右の係止具
４１    垂直の係止面
４２    テーパ状案内面
４３    ビス
４６    枢軸
４７    小物収納部
４８    コップやビン
４９    従来の引き出し装置
５０    従来の引き出し
【図１】
0003922035.tif 000002
【図２】
0003922035.tif 000003
【図３】
0003922035.tif 000004
【図４】
0003922035.tif 000005
【図５】
0003922035.tif 000006